(57)【要約】【課題】マイクロホンに入射する音の内、高域の周波数の高い音を低域の周波数の低い音に比べ大きく減衰させることで、音全体としての音圧レベルを下げることなく反射音の干渉による耳障りな音の発生を防止することができる電話機を提供することを目的とする。【解決手段】本発明の電話機１は、本体キャビネット２と、本体キャビネット２の底壁３に形成された音孔８と、本体キャビネット２内部の音孔８の上部に配設されたマイクロホン１０と、を備えた電話機１であって、音孔８の周囲に形成された回折部（Ｌ字状凹部）４を備えた構成を有する。【選択図】図１
2005311659.tif 000002
【特許請求の範囲】
【請求項１】
本体キャビネットと、前記本体キャビネットの底壁に形成された音孔と、前記本体キャビネット内部の前記音孔の上部に配設されたマイクロホンと、を備えた電話機であって、前記音孔の周囲に形成された回折部を備えていることを特徴とする電話機。
【請求項２】
前記回折部が、前記本体キャビネットの前部側に開口し前後方向に延びる縦溝部と、内部に前記音孔が形成され前記縦溝部の後端部から前記本体キャビネットの左右方向に延びる横溝部と、を有するＬ字状凹部であることを特徴とする請求項１に記載の電話機。
【請求項３】
前記横溝部が、前記本体キャビネットの側部側に開口した側部開口部を備えていることを特徴とする請求項２に記載の電話機。
【請求項４】
前記回折部が、内部に前記音孔が形成され前記本体キャビネットの側部側に開口し左右方向に延びる横凹部であることを特徴とする請求項１に記載の電話機。
【発明の詳細な説明】
【技術分野】
【０００１】
本発明は、本体キャビネットの底壁に形成された音孔とその上部に配設されたマイクロホンとを備えた電話機に関する。
【背景技術】
【０００２】
近年、本体キャビネットの所定部にマイクロホンを備え、ユーザが該マイクロホンを介して応答メッセージ等を録音することができる電話機が種々開発されている。また、本体キャビネットの所定部にマイクロホンとスピーカを備え、送受話器を用いずにマイクロホンとスピーカを用いて行う通話（以下、ハンズフリー通話という）が可能な電話機が種々開発されている。
【０００３】
マイクロホンとスピーカを備えた電話機としては、本体キャビネットの上面にスピーカを備えたものが一般的である。この場合、マイクロホンの位置がスピーカに近いとハウリングが生じやすいという問題があったため、近年、マイクロホンをスピーカから離れた本体キャビネットの底壁に設けた電話機が開発されている。このような電話機では、本体キャビネットの底壁に音孔を形成しマイクロホンは本体キャビネットの内部の該音孔の上部に設けられるが、マイクロホンを底壁に設けると、電話機を載置面に載置した場合に底壁に形成されたマイクロホンの音孔が載置面で塞がってしまうため、通常、マイクロホンの音孔を底壁に設けられた凹部の内部に形成したり、底壁が載置面から浮くように底壁の四隅等に脚を設けたりしていた。
【０００４】
一方、ハウリング防止とは異なる理由で同様にマイクロホンを底壁に設けた電話機としては、特許文献１に、スピーカとマイクロホンとを本体内に設けると共に、本体の底壁は本体の載置面より浮いた状態に形成され、該マイクロホンが、浮いた状態の底壁に底壁側に向けて設けられたハンズフリー電話機が開示されている。
【０００５】
また、特許文献１には、上記のハンズフリー電話機において、本体の底壁が一様に平坦ではなく、中央部分が載置面側に突出している、すなわち底壁のマイクロホンの取り付け位置と中央部分との間に段差が設けられていることが記載されている。
【特許文献１】特許第３０８９３４９号公報
【発明の開示】
【発明が解決しようとする課題】
【０００６】
しかしながら上記従来の技術では、以下のような課題を有していた。
【０００７】
（１）特許文献１のハンズフリー電話機のようなマイクロホンを本体キャビネットの底壁に設けた電話機では、載置面や底壁に形成した凹部の内壁で反射した音が音孔を介してマイクロホンに入射するため、反射の影響を受け易い高域の（周波数の高い）音は、反射音の干渉により強調され耳障りな音になり音声が聞き取り難いという課題を有していた。
【０００８】
本発明は上記従来の課題を解決するもので、マイクロホンに入射する音の内、高域の周波数の高い音を低域の周波数の低い音に比べ大きく減衰させることで、音全体としての音圧レベルを下げることなく反射音の干渉による耳障りな音の発生を防止することができる電話機を提供することを目的とする。
【課題を解決するための手段】
【０００９】
上記課題を解決するために、本発明の電話機は、本体キャビネットと、前記本体キャビ
ネットの底壁に形成された音孔と、前記本体キャビネット内部の前記音孔の上部に配設されたマイクロホンと、を備えた電話機であって、前記音孔の周囲に形成された回折部を備えた構成を有している。
【００１０】
これにより、マイクロホンに入射する音の内、高域の周波数の高い音を低域の周波数の低い音に比べ大きく減衰させることで、音全体としての音圧レベルを下げることなく反射音の干渉による耳障りな音の発生を防止することができる電話機を提供することができる。
【発明の効果】
【００１１】
以上説明したように本発明の電話機によれば、以下のような有利な効果が得られる。
【００１２】
請求項１に記載の発明によれば、
（１）音孔の周囲に形成された回折部を備えているので、音源から出た音（通話者が発声した音等）を回折部で回折させて音孔を介してマイクロホンに入射させることができ、高域の周波数の高い音を低域の周波数の低い音に比べ大きく減衰させることができるので、反射音の干渉による耳障りな音の発生を防止することができる通話の音質の高い電話機を提供することができる。
【００１３】
（２）反射音の干渉の影響を受け易い高域の音を、干渉の影響が少ない低域の音より大きく減衰させることができるので、音全体としての音圧レベルを下げることなく耳障りな音の発生を防止することができる通話の音質の高い電話機を提供することができる。
【００１４】
（３）回折部により高域の音を減衰させることができるので、スポンジ等の高域の音を減衰させるためのフィルタ等を取り付ける必要がなく、部品点数を削減できコストを低減できる電話機を提供することができる。
【００１５】
（４）マイクロホンを本体キャビネットの底壁に設けることによりハウリングを防止し、且つ埃等の侵入を防止しながら、同時に反射音の干渉による耳障りな音の発生を防止できるので、音質の高い通話性能に優れた電話機を提供することができる。
【００１６】
請求項２に記載の発明によれば、請求項１の効果に加え、
（１）マイクロホンの音孔がＬ字状凹部の横溝部の内部に形成されているので、マイクロホンにはＬ字状凹部の角部で回折し高域の音が低域の音に比べ大きく減衰された音が音孔を介して入射し、反射音の干渉による耳障りな音の発生を防止することができる通話の音質の高い電話機を提供することができる。
【００１７】
請求項３に記載の発明によれば、請求項２の効果に加え、
（１）横溝部が、一端部又は両端部に電話機の側部側に開口した側部開口部を備えているので、マイクロホンにはＬ字状凹部の角部で回折した音と共に、横溝部の側部開口部から側部開口部の縁部に形成された角部で回折した音が入射するので、音圧レベルの低い小さい音であっても拾うことができる通話性能に優れた電話機を提供することができる。
【００１８】
請求項４に記載の発明によれば、請求項１の効果に加え、
（１）マイクロホンの音孔が横凹部の内部に形成されているので、マイクロホンには横凹部の開口部の縁部の角部で回折し高域の音が低域の音に比べ大きく減衰された音が音孔を介して入射し、反射音の干渉による耳障りな音の発生を防止することができる通話の音質の高い電話機を提供することができる。
【発明を実施するための最良の形態】
【００１９】
本発明は、マイクロホンに入射する音の内、高域の周波数の高い音を低域の周波数の低い音に比べ大きく減衰させることで、音全体としての音圧レベルを下げることなく反射音の干渉による耳障りな音の発生を防止することができる電話機を提供するという目的を、音孔の周囲に形成された回折部を備えることにより実現した。
【００２０】
上記課題を解決するためになされた第１の発明は、本体キャビネットと、本体キャビネットの底壁に形成された音孔と、本体キャビネット内部の音孔の上部に配設されたマイクロホンと、を備えた電話機であって、音孔の周囲に形成された回折部を備えた構成を有している。
【００２１】
この構成により、以下の作用を有する。
【００２２】
（１）音孔の周囲に形成された回折部を備えているので、音源から出た音（通話者が発声した音）を回折部で回折させて音孔を介してマイクロホンに入射させることができ、高域の周波数の高い音を低域の周波数の低い音に比べ大きく減衰させることができるので、反射音の干渉による耳障りな音の発生を防止することができる。
【００２３】
（２）反射音の干渉の影響を受け易い高域の音を、干渉の影響が少ない低域の音より大きく減衰させることができるので、音全体としての音圧レベルを下げることなく耳障りな音の発生を防止することができる。
【００２４】
（３）音孔の周囲に形成された回折部により高域の音を減衰させることができるので、従来用いられていたようなスポンジ等の高域の音を減衰させるためのフィルタ等を取り付ける必要がなく、部品点数を削減でき製造コストを低減できる。
【００２５】
（４）マイクロホンを本体キャビネットの底壁に設けることによりハウリングを防止し、且つ埃等の侵入を防止しながら、同時に反射音の干渉による耳障りな音の発生を防止できるので、音質が高く通話性能に優れる。
【００２６】
ここで、回折部としては、本体キャビネットの底壁に形成された凹部、溝部、遮蔽壁等が用いられ、音源と音孔との間を遮蔽するものが用いられる。
【００２７】
回折部として例えば凹部や溝部を用いたときは、音孔は、凹部や溝部の内壁の内、本体キャビネットの底壁に平行な面に設けてもよく、或いは底壁に直交する面に設けてもよい。なお、マイクロホンを本体キャビネットの内部に配設されたプリント基板等の回路用基板の下面に実装する場合は、音孔を本体キャビネットの底壁に平行な面に設けることが好ましい。
【００２８】
上記課題を解決するためになされた第２の発明は、第１の発明に記載の電話機であって、回折部が、本体キャビネットの前部側に開口し前後方向に延びる縦溝部と、内部に前記音孔が形成され縦溝部の後端部から本体キャビネットの左右方向に延びる横溝部と、を有するＬ字状凹部である構成を有している。
【００２９】
この構成により、第１の発明の作用に加え、以下の作用を有する。
【００３０】
（１）マイクロホンの音孔がＬ字状凹部の横溝部の内部に形成されているので、マイクロホンにはＬ字状凹部の角部で回折し高域の音（周波数の高い音）が低域の音（周波数の低い音）に比べ大きく減衰された音が音孔を介して入射し、反射音の干渉による耳障りな音の発生を防止することができる。
【００３１】
上記課題を解決するためになされた第３の発明は、第２の発明に記載の電話機であって、横溝部が、本体キャビネットの側部側に開口した側部開口部を備えた構成を有している。
【００３２】
この構成により、第２の発明の作用に加え、以下の作用を有する。
【００３３】
（１）横溝部が、一端部又は両端部に電話機の側部側に開口した側部開口部を備えているので、マイクロホンにはＬ字状凹部の角部で回折した音と共に、横溝部の側部開口部から側部開口部の縁部に形成された角部で回折した音が入射するので、小さい音であっても拾うことができ、且つ、入射される音は両者とも高域の音が低域の音に比べ大きく減衰されるので、反射音の干渉による耳障りな音の発生を防止することができる。
【００３４】
上記課題を解決するためになされた第４の発明は、第１の発明に記載の電話機であって、回折部が、内部に音孔が形成され本体キャビネットの側部側に開口し左右方向に延びる横凹部である構成を有している。
【００３５】
この構成により、第１の発明の作用に加え、以下の作用を有する。
【００３６】
（１）マイクロホンの音孔が横凹部の内部に形成されているので、マイクロホンには横凹部の開口部の縁部の角部で回折し高域の音が低域の音に比べ大きく減衰された音が音孔を介して入射し、反射音の干渉による耳障りな音の発生を防止することができる。
【００３７】
（実施の形態１）
以下、本発明の実施の形態について、各図に基づいて説明する。
【００３８】
図１（ａ）は本実施の形態１における電話機の底面図であり、図１（ｂ）は図１（ａ）のＡ−Ａ線の矢視断面図であり、図１（ｃ）は図１（ａ）のＢ−Ｂ線の矢視断面図である。
【００３９】
図１において、１は本実施の形態１における電話機、２は底壁側のベースキャビネット２ａと上部側の上部キャビネット２ｂからなる本体キャビネット、３は本体キャビネット２の底壁、３ａは底壁３の前部側に突設された脚部、４は底壁３に凹状に形成され電話機１の前部側と側部側に開口したＬ字状凹部（回折部）、５はＬ字状凹部４を構成する縦溝部、５ａは縦溝部５の前部側の前部開口部、６はＬ字状凹部４を構成する横溝部、６ａは横溝部６の側部側の側部開口部、７は横溝部６の内部の底壁３に平行な面である溝底面、８は溝底面７に穿設された音孔、９は本体キャビネット２の内部に配設されたプリント基板である回路用基板、１０は回路用基板９に半田付けされて実装され音孔８の上部に配設されたマイクロホン、１１はマイクロホン１０の側部の周囲を覆うリング状ゴム、Ｘは電話機１を載置する載置面である。
【００４０】
ここで、縦溝部５は電話機１の本体キャビネット２の前後方向に延設され、その後端部に直交して電話機１の本体キャビネット２の左右方向に横溝部６が延設されている。縦溝部５と横溝部６の交点には角部Ｒ１が形成されている。横溝部６の側部開口部６ａの縁部の電話機１の前部側には角部Ｒ２が形成されている。
【００４１】
以上のように構成された本実施の形態１における電話機１について、以下その高域音（周波数の高い音）を減衰させる原理を図面を用いて説明する。
【００４２】
電話機１の前部側の音源（例えば通話者の口、図示せず）から発された音は、縦溝部５の前部開口部５ａからＬ字状凹部４の内部に入射する。Ｌ字状凹部４に入射した音は、図
１（ａ）のα１に示すように角部Ｒ１で回折したり、図１（ｂ）のβ１に示すように載置面Ｘや縦溝部５や横溝部６の内壁で反射したり、或いは反射した音が角部Ｒ１で回折したりして音孔８に達する。音孔８に達した音は、マイクロホン１０に入射する。マイクロホン１０には、角部Ｒ１で回折したことにより高域の音が低域の音に比べ大きく減衰された音が入射する。
【００４３】
また、電話機１の前部側の音源から発された音は、図１（ａ）のα２に示すように、角部Ｒ２で回折したり、図１（ｂ）のβ２に示すように載置面Ｘや横溝部６の内壁で反射したりして音孔８に達する。音孔８に達した音は、マイクロホン１０に入射する。マイクロホン１０には、角部Ｒ２で回折したことより高域の音が低域の音に比べ大きく減衰された音が入射する。
【００４４】
次に、本実施の形態１における電話機１の送話感度周波数特性について説明する。
【００４５】
図２（ａ）は送話感度周波数特性を測定するための測定方法を説明する説明図であり、図２（ｂ）は本実施の形態１における電話機１と比較するための比較例における電話機を示す要部底面図であり、図３は本実施の形態１における電話機１と比較例における電話機について各々測定された送話感度周波数特性を示すグラフである。
【００４６】
図２（ａ）において、１２は音源、１３は送話感度周波数特性を測定するための音響測定装置、１３ａ，１３ｂは音源１２又は電話機１と音響測定装置１３とを接続する接続線である。図２（ｂ）において、２１は比較例における電話機、２２は電話機２１の本体キャビネット、２３は本体キャビネット２２の底壁、２３ａは底壁２３の前部側に突設された脚部、２４は電話機１の前部の底壁２３に形成された凹部、２５は凹部２４の溝底面、２６は溝底面２５に穿設された音孔である。比較例１の電話機２１は従来の電話機であり、載置面に載置した際に音孔２６が載置面で塞がらないように、本体キャビネット２２の前部の底壁２３に前部側にのみ開口した凹部２４が形成されている。また、図示していないが、音孔２６の上部には上述したものと同様のマイクロホン１０が配設されている。このように、比較例の電話機２１では、音孔２６の周囲に音源と音孔との間を遮蔽する回折部が設けられていない。
【００４７】
図２（ａ）に示すような測定方法を用い、上述した本実施の形態１の電話機１と比較例１における電話機２１について各々測定した送話感度周波数特性の測定結果を図３に示す。図３において、実線は電話機１についての測定結果を示し、点線は電話機２１についての測定結果を示す。
【００４８】
図３に示すように、本発明の電話機１によれば、音孔８の周囲にＬ字状凹部（回折部）４を設けているので、比較例の電話機２１に比べ、マイクロホン１０に入射する音の内、２〜５ｋＨｚ付近の周波数の高い音を著しく減衰できることがわかった。
【００４９】
なお、Ｌ字状凹部４の幅や深さ、縦溝部５の長さ、横溝部６の長さ、或いは音孔８の位置は、高域の音（周波数の高い音）の回折による減衰量が所望の減衰量となるように設定することができる。すなわち、減衰量を決定する要素であるフレネル数（Ｎ）は、減衰させたい音の波長（λ）と、音が音源からマイクロホン１０まで直進する場合の経路と回折する場合の経路との経路差（δ）とにより、Ｎ＝２δ／λで算出されるので、キルヒホッフの回折理論に基づいて所望の減衰量となるようなフレネル数の値を求めておき、フレネル数がその値となるような経路差を求め、求めた経路差から音源の位置、音孔８の位置、及び角部Ｒ１，Ｒ２の位置すなわちＬ字状凹部４の形状を決定することにより、所望の減衰量とすることができる。
【００５０】
また、本実施の形態１においては、Ｌ字状凹部４の電話機１の側部側には側部開口部６ａが形成されているが、これに限られるものではなく、側部開口部６ａは塞がっていてもよい。さらに、Ｌ字状凹部４の前部開口部５ａの位置は電話機１の本体キャビネット２の前部側であれば、例えば中央部や左端部に設けてもよい。
【００５１】
以上のように本実施の形態１における電話機１は構成されているので、以下のような作用を有する。
【００５２】
（１）本体キャビネット２の底壁３に凹状に形成されたＬ字状凹部（回折部）４を備え、Ｌ字状凹部４が前部に開口した縦溝部５と縦溝部５の後端部から左右方向に延びる横溝部６とを有し、マイクロホン１０の音孔８がＬ字状凹部４の横溝部６の内部の溝底面７に形成されているので、マイクロホン１０にはＬ字状凹部４の角部Ｒ１で回折し高域の音（周波数の高い音）が低域の音（周波数の低い音）に比べ大きく減衰された音と、横溝部６の側部開口部６ａの縁部に形成された角部Ｒ２で回折し高域の音が低域の音に比べ大きく減衰された音とが音孔８を介して入射するので、反射音の干渉による耳障りな音の発生を防止することができる。
【００５３】
（２）マイクロホン１０には角部Ｒ１で回折した音と共に角部Ｒ２で回折した音が入射するので、小さい音であっても拾うことができる。
【００５４】
（３）反射音の干渉の影響を受け易い高域の音を、干渉の影響が少ない低域の音より大きく減衰させることができるので、音全体としての音圧レベルを下げることなく耳障りな音の発生を防止することができる。
【００５５】
（４）マイクロホン１０を本体キャビネット２の底壁３に設けることによりハウリングを防止し、且つ埃等の侵入を防止しながら、同時に反射音の干渉による耳障りな音の発生を防止できるので、音質や通話性能を高めることができる。
【００５６】
（５）音孔８の周囲に形成されたＬ字状凹部４により音孔８に入射する音の内、高域の音を減衰させることができるので、従来用いられていたようなスポンジ等の高域の音を減衰させるためのフィルタ等を取り付ける必要がなく部品点数を削減できコストを低減できる。
【００５７】
（実施の形態２）
図４（ａ）は本実施の形態２における電話機の底面図であり、図４（ｂ）は図４（ａ）のＣ−Ｃ線の矢視断面図である。
【００５８】
図４において、２は本体キャビネット、２ａはベースキャビネット、２ｂは上部キャビネット、３は底壁、３ａは脚部、８は音孔、９は回路用基板、１０はマイクロホン、１１はリング状ゴム、Ｘは載置面であり、これらは実施の形態１において説明したものと同様のものであるので同一の符号を付けて説明を省略する。図４において、１ａは本実施の形態２における電話機、１４は底壁３に凹状に形成され電話機１ａの側部側に開口した横凹部（回折部）、１４ａは横凹部１４の側部側の端部の側部開口部、１５は横凹部１４の内部の底壁３に平行な面である溝底面である。
【００５９】
ここで、横凹部１４の側部開口部１４ａの縁部の電話機１の前部側には角部Ｒ３が形成されている。
【００６０】
以上のように構成された本実施の形態２の電話機が実施の形態１と異なる点は、本体キャビネット２の底壁３に実施の形態１のＬ字状凹部４に替えて横凹部１４が形成されてい
る点である。以下その高域音（周波数の高い音）を減衰させる原理を図面を用いて説明する。
【００６１】
電話機１ａの前部側の音源（図示せず）から発された音は、図４（ａ）のα３に示すように、角部Ｒ３で回折したり、図４（ｂ）のβ３に示すように横溝部６の内壁や載置面Ｘで反射したりして音孔８に達する。音孔８に達した音は、マイクロホン１０に入射する。マイクロホン１０には、角部Ｒ３で回折したことより高域の音が低域の音に比べ大きく減衰された音が入射する。
【００６２】
以上のように本実施の形態２における電話機は構成されているので、実施の形態１の作用に加え、以下のような作用を有する。
【００６３】
（１）本体キャビネット２の底壁３に凹状に形成された横凹部（回折部）１４を備え、マイクロホン１０の音孔８が横凹部１４の内部の溝底面１５に形成されているので、マイクロホン１０には横凹部１４の側部開口部１４ａの角部Ｒ３で回折し高域の音（周波数の高い音）が低域の音（周波数の低い音）に比べ大きく減衰された音が音孔８を介して入射するので、反射音の干渉による耳障りな音の発生を防止することができる。
【産業上の利用可能性】
【００６４】
本発明は、本体キャビネットの底壁に形成された音孔とその上部に配設されたマイクロホンとを備えた電話機に関し、特に本発明によれば、音孔の周囲に形成された回折部を備えているので、音源から出た音を回折部で回折させて音孔を介してマイクロホンに入射させることができ、高域の周波数の高い音を低域の周波数の低い音に比べ大きく減衰させることができるので、反射音の干渉による耳障りな音の発生を防止することができる通話の音質の高い電話機を提供することができる。また、反射音の干渉の影響を受け易い高域の音を、干渉の影響が少ない低域の音より大きく減衰させることができるので、音全体としての音圧レベルを下げることなく耳障りな音の発生を防止することができる通話の音質の高い電話機を提供することができる。また、回折部により高域の音を減衰させることができるので、スポンジ等の高域の音を減衰させるためのフィルタ等を取り付ける必要がなく、部品点数を削減できコストを低減できる電話機を提供することができる。また、マイクロホンを本体キャビネットの底壁に設けることによりハウリングを防止し、且つ埃等の侵入を防止しながら、同時に反射音の干渉による耳障りな音の発生を防止できるので、音質の高い通話性能に優れた電話機を提供することができる。
【図面の簡単な説明】
【００６５】
【図１】（ａ）実施の形態１における電話機の底面図、（ｂ）図１（ａ）のＡ−Ａ線の矢視断面図、（ｃ）図１（ａ）のＢ−Ｂ線の矢視断面図
【図２】（ａ）送話感度周波数特性を測定するための測定方法を説明する説明図、（ｂ）実施の形態１における電話機１と比較するための比較例における電話機を示す要部底面図
【図３】実施の形態１における電話機１と比較例における電話機について各々測定された送話感度周波数特性を示すグラフ
【図４】（ａ）実施の形態２における電話機の底面図、（ｂ）図４（ａ）のＣ−Ｃ線の矢視断面図
【符号の説明】
【００６６】
１    電話機
２    本体キャビネット
２ａ    ベースキャビネット
２ｂ    上部キャビネット
３    底壁
３ａ    脚部
４    Ｌ字状凹部（回折部）
５    縦溝部
５ａ    前部開口部
６    横溝部
６ａ    側部開口部
７    溝底面
８    音孔
９    回路用基板
１０    マイクロホン
１１    リング状ゴム
１２    音源
１３    音響測定装置
１３ａ，１３ｂ    接続線
１４    横凹部（回折部）
１４ａ    側部開口部
１５    溝底面
２１    電話機
２２    本体キャビネット
２３    底壁
２３ａ    脚部
２４    凹部
２５    溝底面
２６    音孔
Ｒ１，Ｒ２，Ｒ３    角部
Ｘ    載置面
【図１】
2005311659.tif 000003
【図２】
2005311659.tif 000004
【図３】
2005311659.tif 000005
【図４】
2005311659.tif 000006